(57)【要約】  アクセサリーがマウント部にロックされた状態におけるアクセサリーのマウント部に対するガタツキを防止して画質の向上を図る。  アクセサリーが取付可能なマウント部を有する筐体と、前記筐体に回転可能に支持された回転操作部と、前記アクセサリーを前記マウント部から脱落不能な状態で保持するロック部とを備え、前記回転操作部の回転位置として一方向の回転により順に前記アクセサリーの前記マウント部に対する取付が可能な取付可能位置と前記アクセサリーが前記ロック部によって前記マウント部から脱落不能な状態で保持されるロック位置と前記アクセサリーが前記マウント部に密着された状態で保持され前記回転操作部の回転端である固定位置とを含む。
2018083921.tif 000002
【特許請求の範囲】
【請求項１】
アクセサリーが取付可能なマウント部を有する筐体と、
前記筐体に回転可能に支持された回転操作部と、
前記アクセサリーを前記マウント部から脱落不能な状態で保持するロック部とを備え、
前記回転操作部の回転位置は、一方向の回転により順に前記アクセサリーの前記マウント部に対する取付が可能な取付可能位置と前記アクセサリーが前記ロック部によって前記マウント部から脱落不能な状態で保持されるロック位置と前記アクセサリーが前記マウント部に密着された状態で保持され前記回転操作部の回転端である固定位置とを含む
撮像装置。
【請求項２】
前記マウント部は螺合部を有し、
前記回転操作部は前記筐体に対する回転角度に応じて前記螺合部に対する螺合状態が変化される螺溝部と前記アクセサリーに設けられた結合部が係合される係合部とを有し、
前記螺溝部の前記螺合部に対する螺合状態に応じて前記係合部が前記結合部に押し付けられることにより前記アクセサリーが前記マウント部に固定される
請求項１に記載の撮像装置。
【請求項３】
前記回転操作部には連結された操作部材と係合部材が設けられ、
前記係合部材に前記螺溝部と前記係合部が形成された
請求項２に記載の撮像装置。
【請求項４】
前記操作部材と前記係合部材を連結する連結板が設けられ、
前記連結板にスイッチ操作部が取り付けられた
請求項３に記載の撮像装置。
【請求項５】
前記アクセサリーとの間でのデータ通信が可能な通信可能モードとデータ通信が不能な通信不能モードとの切換を行う操作スイッチが設けられ、
前記回転操作部の回転に伴って前記操作スイッチが操作される
請求項１に記載の撮像装置。
【請求項６】
前記回転操作部が前記取付可能位置から前記ロック位置まで回転される途中において前記操作スイッチが所定の検出状態にされることにより前記通信可能モードが設定される
請求項５に記載の撮像装置。
【請求項７】
前記アクセサリーの端子が接続されたときに前記アクセサリーとの間でのデータ通信が可能な状態に設定されたことを検出する接点が設けられ、
前記端子が前記接点に接続された状態において前記操作スイッチが所定の検出状態にされることにより前記通信可能モードが設定される
請求項５に記載の撮像装置。
【請求項８】
前記回転操作部の前記ロック位置から前記固定位置までの回転角度が１５度以上２５度以下にされた
請求項１に記載の撮像装置。
【請求項９】
前記ロック部は少なくとも一部が前記マウント部にロックされた前記アクセサリーによって覆われる位置に設けられた
請求項１に記載の撮像装置。
【請求項１０】
前記ロック部が前記回転操作部の回転を許容する回転許容位置と前記回転操作部の回転を規制する回転規制位置との間で移動可能とされ、
前記回転操作部には前記ロック位置において前記回転規制位置に移動された前記ロック部が接触可能な被規制部が設けられた
請求項１に記載の撮像装置。
【請求項１１】
前記ロック部を前記回転許容位置から前記回転規制位置へ移動させる方向へ付勢する付勢バネと、
前記筐体に対して回動可能にされると共に前記ロック部を前記回転許容位置において保持する作用レバーとが設けられた
請求項１０に記載の撮像装置。
【請求項１２】
前記作用レバーを一方の回動方向へ付勢するバネ部材が設けられ、
前記付勢バネと前記バネ部材の付勢力によって前記ロック部が前記回転規制位置へ向けて移動される
請求項１１に記載の撮像装置。
【請求項１３】
前記バネ部材のばね定数が前記付勢バネのばね定数より大きくされ、
前記回転操作部の前記取付可能位置から前記固定位置へ向けての回転時に前記バネ部材の付勢力が前記作用レバーを介して前記ロック部に対して前記回転許容位置から前記回転規制位置に移動される方向へ作用し、
前記回転操作部の前記固定位置から前記取付可能位置へ向けての回転時に前記バネ部材の付勢力が前記作用レバーを介して前記ロック部に対して前記回転規制位置から前記回転許容位置に移動される方向へ作用する
請求項１２に記載の撮像装置。
【請求項１４】
前記取付可能位置において前記付勢バネによって付勢された前記ロック部の前記回転規制位置へ向けての移動が前記被規制部によって規制される
請求項１１に記載の撮像装置。
【請求項１５】
前記作用レバーは少なくとも一部が前記マウント部にロックされた前記アクセサリーによって覆われる位置に設けられた
請求項１１に記載の撮像装置。
【請求項１６】
前記ロック部には摘子部が設けられ、
前記摘子部が挿通される挿通孔を有し前記ロック部の前記摘子部以外の部分と前記作用レバーを覆うカバーが設けられた
請求項１１に記載の撮像装置。
【請求項１７】
前記アクセサリーが交換レンズである
請求項１に記載の撮像装置。
【発明の詳細な説明】
【技術分野】
【０００１】
本技術はアクセサリーがマウント部に対して着脱可能にされた撮像装置についての技術分野に関する。
【先行技術文献】
【特許文献】
【０００２】
【特許文献１】特開平８−４３９１０号公報
【背景技術】
【０００３】
ビデオカメラやスチルカメラ等の各種の撮像装置には、交換レンズ等のアクセサリーがマウント部に着脱可能とされ、例えば、交換レンズがマウント部に取り付けられることにより機能性の向上が図られる。また、交換レンズはアダプターを介してマウント部に取り付けられる場合もあり、アダプターも撮像装置におけるアクセサリーとして用いられる。【０００４】
このようなアクセサリーが着脱可能とされた撮像装置にあっては、アクセサリーの撮像装置に対する取付の方式として、アクセサリーの全体を撮像装置に対して回転させアクセサリーの結合部を撮像装置の係合部に係合する所謂バヨネット方式とアクセサリーに設けられた操作レバーを操作してアクセサリーの結合部を撮像装置の係合部に係合する所謂スピゴット方式とがある（例えば、特許文献１参照）。【０００５】
バヨネット方式にあっては、アクセサリーを撮像装置のマウント部に前方から押し付けた状態でアクセサリーの全体を一定の角度回転させることにより撮像装置に対する取付が行われる。【０００６】
このようなバヨネット方式にあっては、操作レバーが存在しないためアクセサリーの構造が簡素であるが、アクセサリーの全体を撮像装置に対して回転させるため、アクセサリーとの干渉の回避を考慮して撮像装置の各部をアクセサリーの回転軌跡から退避した位置に設ける必要があり、撮像装置の設計の自由度が低くなるおそれがある。【０００７】
一方、スピゴット方式にあっては、アクセサリーを撮像装置の前面（マウント部）に前方から押し付けた状態で操作レバーを操作して一定の角度回転させることにより撮像装置に対する取付が行われる。【０００８】
このようなスピゴット方式にあっては、操作レバーの操作によってアクセサリーが撮像装置に取り付けられアクセサリーの全体を撮像装置に対して回転させる必要がないため、撮像装置の設計の自由度が高いと言う長所を有している。また、重量の大きなアクセサリーの全体を回転させる必要がないため、アクセサリーの撮像装置に対する着脱を容易に行うことが可能であると言う利点も有している。
【発明の概要】
【発明が解決しようとする課題】
【０００９】
ところで、上記のようなアクセサリーがマウント部に着脱可能な撮像装置においては、アクセサリーのマウント部からの脱落を防止するためにアクセサリーをマウント部にロックするロック機構が設けられている。例えば、特許文献１に記載された撮像装置においては、交換レンズの操作レバーが回転操作されることにより、操作レバーの結合部（係合溝）に撮像装置のロック部（ロックレバー）が係合されることによりロックが行われ、ロック解除ボタン（レンズ着脱ボタン）が押圧操作されることによりロック部の結合部に対する係合が解除されてロック状態の解除が行われる。【００１０】
ところが、アクセサリーがマウント部にロックされることによりアクセサリーのマウント部からの脱落を防止することは可能であるが、ロックされた状態においてアクセサリーのマウント部に対するガタツキが発生すると、例えば、撮影時においてアクセサリーが撮像装置に対して変位し光軸の傾き等が発生し、撮影される画像の品質の低下を来たすおそれがある。【００１１】
そこで、本技術撮像装置は、上記した問題点を克服し、アクセサリーがマウント部にロックされた状態におけるアクセサリーのマウント部に対するガタツキを防止して画質の向上を図ることを目的とする。
【課題を解決するための手段】
【００１２】
第１に、本技術に係る撮像装置は、アクセサリーが取付可能なマウント部を有する筐体と、前記筐体に回転可能に支持された回転操作部と、前記アクセサリーを前記マウント部から脱落不能な状態で保持するロック部とを備え、前記回転操作部の回転位置は、一方向の回転により順に前記アクセサリーの前記マウント部に対する取付が可能な取付可能位置と前記アクセサリーが前記ロック部によって前記マウント部から脱落不能な状態で保持されるロック位置と前記アクセサリーが前記マウント部に密着された状態で保持され前記回転操作部の回転端である固定位置とを含むものである。【００１３】
これにより、回転操作部の取付可能位置からの一方向への回転によりアクセサリーのマウント部に対するロックに引き続きアクセサリーのマウント部への固定が行われる。【００１４】
第２に、上記した本技術に係る撮像装置においては、前記マウント部は螺合部を有し、前記回転操作部は前記筐体に対する回転角度に応じて前記螺合部に対する螺合状態が変化される螺溝部と前記アクセサリーに設けられた結合部が係合される係合部とを有し、前記螺溝部の前記螺合部に対する螺合状態に応じて前記係合部が前記結合部に押し付けられることにより前記アクセサリーが前記マウント部に固定されることが望ましい。【００１５】
これにより、アクセサリーがマウント部に固定された状態において係合部が結合部に押し付けられると共にアクセサリーがマウント部に押し付けられる。【００１６】
第３に、上記した本技術に係る撮像装置においては、前記回転操作部には連結された操作部材と係合部材が設けられ、前記係合部材に前記螺溝部と前記係合部が形成されることが望ましい。【００１７】
これにより、螺溝部と係合部が一つの部材に形成されているため、螺溝部と係合部の位置関係が変化することがない。【００１８】
第４に、上記した本技術に係る撮像装置においては、前記操作部材と前記係合部材を連結する連結板が設けられ、前記連結板にスイッチ操作部が取り付けられることが望ましい。【００１９】
これにより、連結板が操作部材と係合部材を連結する機能を有すると共にスイッチ操作部を取り付ける取付板としても機能する。【００２０】
第５に、上記した本技術に係る撮像装置においては、前記アクセサリーとの間でのデータ通信が可能な通信可能モードとデータ通信が不能な通信不能モードとの切換を行う操作スイッチが設けられ、前記回転操作部の回転に伴って前記操作スイッチが操作されることが望ましい。【００２１】
これにより、回転操作部の回転によるアクセサリーのマウント部に対する着脱状態に応じて通信可能モードと通信不能モードの切換が行われる。【００２２】
第６に、上記した本技術に係る撮像装置においては、前記回転操作部が前記取付可能位置から前記ロック位置まで回転される途中において前記操作スイッチが所定の検出状態にされることにより前記通信可能モードが設定されることが望ましい。【００２３】
これにより、回転操作部が取付可能位置からロック位置まで回転される途中において通信可能モードが設定されるため、アクセサリーがマウント部にロックされている状態において常にアクセサリーとの通信が可能とされる。【００２４】
第７に、上記した本技術に係る撮像装置においては、前記アクセサリーの端子が接続されたときに前記アクセサリーとの間でのデータ通信が可能な状態に設定されたことを検出する接点が設けられ、前記端子が前記接点に接続された状態において前記操作スイッチが所定の検出状態にされることにより前記通信可能モードが設定されることが望ましい。【００２５】
これにより、端子が接点に接続されると共に回転操作部の回転操作によって操作スイッチが所定の検出状態にされることにより通信可能モードが設定されるため、アクセサリーがマウント部に適正な状態で取り付けられて端子が接点に接続されたときにのみ通信可能モードが設定される。【００２６】
第８に、上記した本技術に係る撮像装置においては、前記回転操作部の前記ロック位置から前記固定位置までの回転角度が１５度以上２５度以下にされることが望ましい。【００２７】
これにより、回転操作部がロック位置から１５度以上２５度以下で回転操作されることによりアクセサリーがマウント部に固定されるため、手を持ち替えることなくロック位置から固定位置まで無理なく回転操作部を操作してアクセサリーを固定することが可能である。【００２８】
第９に、上記した本技術に係る撮像装置においては、前記ロック部は少なくとも一部が前記マウント部にロックされた前記アクセサリーによって覆われる位置に設けられることが望ましい。【００２９】
これにより、アクセサリーがマウント部にロックされた状態においてロック部の少なくとも一部がアクセサリーによって覆われるため、撮影動作等の撮像装置の使用時にロック部に手が接触し難く、誤ってアクセサリーのロックが解除され難い。【００３０】
第１０に、上記した本技術に係る撮像装置においては、前記ロック部が前記回転操作部の回転を許容する回転許容位置と前記回転操作部の回転を規制する回転規制位置との間で移動可能とされ、前記回転操作部には前記ロック位置において前記回転規制位置に移動された前記ロック部が接触可能な被規制部が設けられることが望ましい。【００３１】
これにより、回転規制位置に移動されたロック部によってアクセサリーがマウント部にロックされる。【００３２】
第１１に、上記した本技術に係る撮像装置においては、前記ロック部を前記回転許容位置から前記回転規制位置へ移動させる方向へ付勢する付勢バネと、前記筐体に対して回動可能にされると共に前記ロック部を前記回転許容位置において保持する作用レバーとが設けられることが望ましい。【００３３】
これにより、ロック部が回転許容位置において作用レバーに保持されてロック部の回転規制位置への移動が規制されるため、回転操作部をロック位置から取付可能位置へ向けて回転するときにロック部を把持する必要がない。【００３４】
第１２に、上記した本技術に係る撮像装置においては、前記作用レバーを一方の回動方向へ付勢するバネ部材が設けられ、前記付勢バネと前記バネ部材の付勢力によって前記ロック部が前記回転規制位置へ向けて移動されることが望ましい。【００３５】
これにより、ロック部の回転規制位置へ向けての移動時に付勢バネの付勢力に加えて作用レバーを付勢するバネ部材の付勢力もロック部に付与される。【００３６】
第１３に、上記した本技術に係る撮像装置においては、前記バネ部材のばね定数が前記付勢バネのばね定数より大きくされ、前記回転操作部の前記取付可能位置から前記固定位置へ向けての回転時に前記バネ部材の付勢力が前記作用レバーを介して前記ロック部に対して前記回転許容位置から前記回転規制位置に移動される方向へ作用し、前記回転操作部の前記固定位置から前記取付可能位置へ向けての回転時に前記バネ部材の付勢力が前記作用レバーを介して前記ロック部に対して前記回転規制位置から前記回転許容位置に移動される方向へ作用することが望ましい。【００３７】
これにより、回転操作部の反対方向への回転時にバネ部材の付勢力がロック部にそれぞれ反対方向へ作用する。【００３８】
第１４に、上記した本技術に係る撮像装置においては、前記取付可能位置において前記付勢バネによって付勢された前記ロック部の前記回転規制位置へ向けての移動が前記被規制部によって規制されることが望ましい。【００３９】
これにより、ロック部の回転規制位置への移動がロック部に接触されてアクセサリーの回転の規制に関与する被規制部によって行われる。【００４０】
第１５に、上記した本技術に係る撮像装置においては、前記作用レバーは少なくとも一部が前記マウント部にロックされた前記アクセサリーによって覆われる位置に設けられることが望ましい。【００４１】
これにより、アクセサリーがマウント部にロックされた状態において作用レバーの少なくとも一部がアクセサリーによって覆われるため、撮影動作等の撮像装置の使用時に作用レバーに手が接触し難く、誤ってアクセサリーのロックが解除され難い。【００４２】
第１６に、上記した本技術に係る撮像装置においては、前記ロック部には摘子部が設けられ、前記摘子部が挿通される挿通孔を有し前記ロック部の前記摘子部以外の部分と前記作用レバーを覆うカバーが設けられることが望ましい。【００４３】
これにより、ロック部の摘子部以外の部分と作用レバーとがカバーによって覆われるため、撮影動作等の撮像装置の使用時にロック部と作用レバーとに手が接触し難い。【００４４】
第１７に、上記した本技術に係る撮像装置においては、前記アクセサリーが交換レンズであることが望ましい。【００４５】
これにより、回転操作部の取付可能位置からの一方向への回転により交換レンズのマウント部に対するロックに引き続き交換レンズのマウント部への固定が行われる。
【発明の効果】
【００４６】
本技術によれば、回転操作部の取付可能位置からの一方向への回転によりアクセサリーのマウント部に対するロックに引き続きアクセサリーのマウント部への固定が行われるため、アクセサリーがマウント部にロックされた状態におけるアクセサリーのマウント部に対するガタツキを防止して画質の向上を図ることができる。【００４７】
尚、本明細書に記載された効果はあくまでも例示であって限定されるものではなく、他の効果があってもよい。
【図面の簡単な説明】
【００４８】
【図１】図２乃至図２８と共に本技術撮像装置の実施の形態を示すものであり、本図は、交換レンズと撮像装置を示す斜視図である。
【図２】撮像装置の一部をカバーを分離して示す斜視図である。
【図３】撮像装置の一部を示す分解斜視図である。
【図４】パネル部等の背面図である。
【図５】係合部材の螺溝部がマウント部の螺合部に螺合されている状態を示す断面図である。
【図６】パネル部等の正面図である。
【図７】ロックレバーや作用レバー等を示す分解斜視図である。
【図８】ロックレバーや作用レバー等を示す正面図である。
【図９】交換レンズの後端部を示す斜視図である。
【図１０】図１１乃至図２６と共に交換レンズのマウント部に対する着脱動作を示すものであり、本図は、ロックレバー等の初期状態を示す正面図である。
【図１１】係合部材等の初期状態を示す断面図である。
【図１２】初期状態におけるスイッチ操作部と操作スイッチの位置関係を示す背面図である。
【図１３】交換レンズの結合部が操作レバーの係合部材に挿入された状態を示す断面図である。
【図１４】交換レンズの結合部が操作レバーの係合部材に挿入された状態を示す背面図である。
【図１５】操作レバーが一方向へ回転された直後のロックレバー等の状態を示す正面図である。
【図１６】図１４に引き続き操作レバーが一方向へ回転された状態を示す背面図である。
【図１７】図１５に引き続き操作レバーが一方向へ回転されたときのロックレバー等の状態を示す正面図である。
【図１８】図１６に引き続き操作レバーが一方向へ回転され操作スイッチがオフにされた状態を示す背面図である。
【図１９】図１７に引き続き操作レバーが一方向へロック位置まで回転されて操作レバーがロックレバーにロックされた状態を示す正面図である。
【図２０】図１９に引き続き操作レバーが一方向へ固定位置まで回転されたときのロックレバー等の状態を示す正面図である。
【図２１】図１８に引き続き操作レバーが一方向へ回転された状態を示す背面図である。
【図２２】操作レバーが一方向へ固定位置まで回転され交換レンズがマウント部に固定された状態を示す断面図である。
【図２３】操作レバーが固定位置から他方向へ回転されたときのロックレバー等の状態を示す正面図である。
【図２４】ロックレバーが回転規制位置から回転許容位置まで移動された状態を示す正面図である。
【図２５】図２４に引き続き操作レバーが他方向へ回転され作用レバーが回動された状態を示す正面図である。
【図２６】図２５に引き続き操作レバーが他方向へ回転されたときのロックレバー等の状態を示す正面図である。
【図２７】交換レンズがマウント部に取り付けられるときの動作に関するタイムチャート図である。
【図２８】撮像装置のブロック図である。
【発明を実施するための形態】
【００４９】
以下に、本技術を実施するための形態を添付図面を参照して説明する。
【００５０】
以下に示した実施の形態は、本技術撮像装置をビデオカメラに適用したものである。
【００５１】
尚、本技術の適用範囲はビデオカメラに限られることはない。本技術は、例えば、ビデオカメラ以外のスチルカメラ等の他の各種の撮像装置に広く適用することができる。
【００５２】
以下の説明にあっては、ビデオカメラの撮影時において撮影者から見た方向で前後上下左右の方向を示すものとする。従って、物体側が前方となり、像面側が後方となる。
【００５３】
尚、以下に示す前後上下左右の方向は説明の便宜上のものであり、本技術の実施に関しては、これらの方向に限定されることはない。
【００５４】
また、以下に示すレンズ群は、単数又は複数のレンズにより構成されたものの他、これらの単数又は複数のレンズと絞りやアイリス等の他の光学素子を含んでもよい。
【００５５】
さらに、以下には、撮像装置に着脱可能なアクセサリーとして交換レンズを例として示したが、アクセサリーは交換レンズに限られることはなく、例えば、交換レンズを撮像装置に取り付けるためのアダプター等の他のアクセサリーであってもよい。
【００５６】
＜撮像装置の構成＞
撮像装置１は筐体２の内外に所要の各部が配置されて成る（図１及び図２参照）。
【００５７】
筐体２は前方に開口された箱状の本体部３と本体部３の前端部に取り付けられたパネル部４とパネル部４の前面に取り付けられたマウント部５を有している。尚、マウント部５はパネル部４と一体に形成されパネル部４の一部として設けられていてもよい。
【００５８】
本体部３には各種の操作部６、６、・・・が配置されている。操作部６、６、・・・としては、例えば、電源釦、撮影釦、ズーム摘子、モード切替摘子等が設けられている。
【００５９】
パネル部４の前面には開口４ａが形成されている（図３参照）。パネル部４の内周部には内方に張り出された円弧状のマウント取付部７、７が周方向に離隔して設けられている。パネル部４の上端側の位置には上側に位置されたマウント取付部７の外周側に機構配置部８が設けられている。
【００６０】
機構配置部８にはそれぞれ前方に突出された支軸部８ａとバネ掛け突部８ｂが設けられている。
【００６１】
筐体２の内部にはＣＣＤ（Charge Coupled Device）やＣＭＯＳ（Complementary Metal-Oxide Semiconductor）等の図示しない撮像素子が配置され、撮像素子は開口４ａの後方に位置されている。
【００６２】
筐体２の内部には開口４ａの後側に前方を向く接点配置部９が設けられ、接点配置部９に接点部１０が配置されている（図２参照）。接点部１０は接点配置部９の下端部に配置され、円弧状に形成されている。接点部１０は長手方向（周方向）において離隔して位置された複数の接点１０ａ、１０ａ、・・・を有し、開口４ａに沿う位置に配置されている。
【００６３】
本体部３の上面側には把手部１１が設けられている（図１参照）。筐体２の前端部における上面にはディスプレイ１２が、例えば、回動可能に支持されている。ディスプレイ１２は後方を向く表示面１２ａを有している。使用者は把手部１１を把持しディスプレイ１２の表示面１２ａに表示される画像を視認した状態で撮影等を行うことが可能にされている。
【００６４】
パネル部４の後面には基板１３が取り付けられ、基板１３には操作スイッチ１４が配置されている（図４参照）。操作スイッチ１４はアクセサリーとして機能する後述する交換レンズと撮像装置１との間でのデータ通信が可能な通信可能モードとデータ通信が不能な通信不能モードとの切換を行う機能を有している。
【００６５】
マウント部５は、図２及び図３に示すように、前後方向を向く板状の円環状に形成されたベース部１５とベース部１５の外周側に設けられた円弧状の被取付部１６、１６とベース部１５の前面から前方に突出された位置合わせピン１７とベース部１５の外周部から後方に突出された円環部１８とを有している。被取付部１６、１６は周方向に離隔して位置されている。円環部１８の内周面は螺溝が形成された螺合部１８ａとして形成されている（図５参照）。
【００６６】
マウント部５は被取付部１６、１６がそれぞれマウント取付部７、７にネジ止め等によって前方から取り付けられる（図２、図３及び図５参照）。
【００６７】
マウント部５には回転操作部として機能する操作レバー１９が回転自在に支持されている。操作レバー１９は操作部材２０と係合部材２１が前後で結合されて成る。従って、操作部材２０と係合部材２１はマウント部５及びマウント部５が取り付けられている筐体２に対して一体になって回転される。
【００６８】
操作部材２０は円環状の環状部２２と環状部２２における外周部の一部から前方に突出された円弧状の突状部２３と突状部２３からそれぞれ外方に突出された指掛け突部２４、２４と環状部２２の外周面における一部から外方に突出された被規制部２５とを有している。
【００６９】
環状部２２はマウント部５のベース部１５より一回り大きくされている。環状部２２には後方に突出された結合用突部２２ａ、２２ｂが周方向に離隔して設けられている。
【００７０】
被規制部２５は前後の厚みが薄い板状に形成され、環状部２２の周方向に延びる形状に形成されている。被規制部２５は外周縁がレバー保持部２５ａとして形成され左側縁が被ストッパー部２５ｂとして形成されている。
【００７１】
係合部材２１はマウント部５のベース部１５より一回り小さい略円環状に形成されたリング状部２６とリング状部２６からそれぞれ内方に突出された円弧状の係合部２７、２７、２７とから成る。リング状部２６の外周面には螺溝部２６ａが形成されている。係合部２７、２７、２７は周方向に離隔して位置されている。
【００７２】
操作部材２０と係合部材２１は連結板２８、２９によってマウント部５を挟んだ状態で前後方向において連結されている（図３乃至図５参照）。連結板２８、２９はそれぞれ円弧状の第１の固定部２８ａ、２９ａとそれぞれ第１の固定部２８ａ、２９ａから外方に突出された第２の固定部２８ｂ、２９ｂとを有し、操作レバー１９の回転に伴って周方向へ移動される。
【００７３】
連結板２８、２９は第１の固定部２８ａ、２９ａが係合部材２１におけるリング状部２６の後面に固定され第２の固定部２８ｂ、２９ｂがそれぞれ操作部材２０における環状部２２の結合用突部２２ａ、２２ｂに固定される。連結板２８、２９が操作部材２０と係合部材２１に固定された状態において、第２の固定部２８ｂ、２９ｂがそれぞれマウント部５の被取付部１６、１６間に位置される。
【００７４】
操作部材２０と係合部材２１がマウント部５を挟んで連結板２８、２９によって連結されて操作レバー１９が構成された状態においては、操作部材２０がマウント部５におけるベース部１５の外周側に位置され係合部材２１の少なくとも係合部２７、２７、２７がマウント部５におけるベース部１５の内周側に位置される。このとき係合部材２１の螺溝部２６ａがマウント部５の螺合部１８ａに螺合される（図５参照）。従って、操作レバー１９の回転位置に応じて螺溝部２６ａの螺合部１８ａに対する螺合位置が変化され、螺合位置が変化されるときに操作レバー１９は回転に伴って前後方向へ移動される。
【００７５】
連結板２８における第２の固定部２８ｂの後面にはスイッチ操作部３０がネジ止め等によって取り付けられている（図４参照）。スイッチ操作部３０は一部が第２の固定部２８ｂから外方に突出された状態にされている。スイッチ操作部３０は操作レバー１９の回転に伴う連結板２８の移動に伴って周方向へ移動される。
【００７６】
操作レバー１９の回転に伴ってスイッチ操作部３０が周方向へ移動されることにより、スイッチ操作部３０によって操作スイッチ１８が操作される。
【００７７】
パネル部４の機構配置部８には支持ケース３１が取り付けられている（図６乃至図８参照）。支持ケース３１は前方に開口されたケース部３１ａとケース部３１ａから外方に突出された被取付突部３１ｂとを有している。支持ケース３１は被取付突部３１ｂが機構配置部８にネジ止め等によって取り付けられている。
【００７８】
支持ケース３１にはロック部として機能するロックレバー３２が移動可能に支持されている。ロックレバー３２はブロック状の基体部３３と基体部３３から前方に突出された摘子部３４と基体部３３から略下方に突出された摺動部３５と基体部３３の下端部から側方に突出された被作用部３６とを有している。ロックレバー３２は操作部材２０における環状部２２の半径方向に移動可能とされ、半径方向における最も外側の回転許容位置と半径方向における最も内側の回転規制位置との間で移動される。
【００７９】
尚、ロックレバー３２においては、摺動部３５が他の部分とは別部材として設けられていてもよい。摺動部３５が別部材として設けられることにより、摺動部３５を他の部分に対して強度の高い材料によって形成すると共に他の部分を摺動部３５より安価な材料によって形成することが可能になり、コストの低減を図った上で必要な部分のみの強度の向上を図ることができる。
【００８０】
被作用部３６は二つの傾斜縁を有する外方に凸の形状に形成され、上側の傾斜縁が第１の被作用縁３６ａとして形成され、下側の傾斜縁が第２の被作用縁３６ｂとして形成されている。
【００８１】
支持ケース３１の内部には付勢バネ３７が配置され、付勢バネ３７によってロックレバー３２が回転許容位置から回転規制位置へ向かう方向へ付勢されている。
【００８２】
パネル部４の機構配置部８にはロックレバー３２に隣接する位置に作用レバー３８が回動自在に支持されている。
【００８３】
作用レバー３８は支軸部８ａが挿通され回動支点となる回動軸部３９と回動軸３９から異なる方向へ突出された第１のアーム部４０及び第２のアーム部４１とを有し、第１のアーム部４０と第２のアーム部４１が略直交する状態に形成されている。第１のアーム部４０の先端部と機構配置部８のバネ掛け突部８ｂとの間にはバネ部材４２が支持されている。バネ部材４２のばね定数は付勢バネ３７のばね定数より大きくされている。作用レバー３８は支軸部８ａを支点として回動可能とされ、バネ部材４２によって第２のアーム部４１がロックレバー３２に近付く回動方向へ付勢されている。
【００８４】
第２のアーム部４１にはそれぞれ前方に突出された第１の作用突部４１ａと第２の作用突部４１ｂが離隔して設けられ、第１の作用突部４１ａは第２の作用突部４１ｂより第２のアーム部４１の先端側に位置されている。
【００８５】
パネル部４には前方からカバー４３が取り付けられる。カバー４３には挿通孔４３ａが形成されている。カバー４３によってロックレバー３２の摘子部３４を除いた部分と付勢バネ３７と作用レバー３８とバネ部材４２が前方から閉塞される。摘子部３４は挿通孔４３ａに挿通され、カバー４３から前方に突出されている。
【００８６】
このように撮像装置１にはロックレバー３２の摘子部３４が挿通される挿通孔４３ａを有しロックレバー３２の摘子部３４以外の部分と作用レバー３８と付勢バネ３７とバネ部材４２とを覆うカバー４３が設けられている。
【００８７】
従って、ロックレバー３２の摘子部３４以外の部分と作用レバー３８と付勢バネ３７とバネ部材４２とがカバー４３によって覆われるため、撮影動作等の撮像装置１の使用時にロックレバー３２と作用レバー３８と付勢バネ３７とバネ部材４２とに手が接触し難く、ロックレバー３２の良好な機能を確保した上で撮像装置１の使用時におけるロックレバー３２や作用レバー３８等の筐体２からの脱落を防止することができる。
【００８８】
＜交換レンズの構成＞
撮像装置１のマウント部５にはアクセサリーとして機能する交換レンズ５０が着脱可能にされている（図１及び図９参照）。
【００８９】
交換レンズ５０は外筒５１の内外に所要の各部が配置されて成る。
【００９０】
外筒５１の外周面には調整用リング５２、５３、５４が前後に離隔して回転自在に支持されている（図１参照）。調整用リング５２、５３、５４は、例えば、フォーカシング調整やズーミング調整や絞りの光量調整等を行う機能を有している。
【００９１】
外筒５１の内部には複数のレンズ群５５、５５、・・・が光軸方向に離隔して配置されている。外筒５１の内部にはレンズ群５５の一部として最も前側に位置された前側レンズ５５ａと最も後側に位置された後側レンズ５５ｂとが配置されている。
【００９２】
外筒５１の後面には結合用リング５６が取り付けられている（図９参照）。結合用リング５６は略円環状のベースリング部５７とベースリング部５７の内周部から後方に突出された円筒状の連結部５８と連結部５８の後端部からそれぞれ外方に突出された円弧状の結合部５９、５９、５９とから成る。ベースリング部５７には位置合わせ穴５７ａが形成されている。
【００９３】
外筒５１の後端部には結合用リング５６の内側に端子配置部６０が設けられ、端子配置部６０に端子部６１が配置されている。端子部６１は円弧状に形成され、長手方向（周方向）において離隔して位置された複数の端子６１ａ、６１ａ、・・・を有している。
【００９４】
＜マウント部に対する交換レンズの着脱動作＞
以下に、マウント部５に対する交換レンズ５０の着脱動作について説明する（図１０乃至図２６参照）。
【００９５】
交換レンズ５０は操作レバー１９の回転によってマウント部５に着脱される。マウント部５の着脱時における操作レバー１９の回転位置としては、交換レンズ５０のマウント部５に対する取付が可能な取付可能位置と交換レンズ５０がロックレバー３２によってマウント部５から脱落不能な状態で保持されてロックされるロック位置と交換レンズ５０がマウント部５に密着された状態で保持され操作レバー１９の回転端である固定位置とが設定される。ロック位置は取付可能位置と固定位置の間の位置であり、操作レバー１９は交換レンズ５０のマウント部５に対する着脱時に取付可能位置と固定位置の間で回転操作（回転動作）される。尚、取付可能位置においては交換レンズ５０のマウント部５からの取外も可能とされている。
【００９６】
先ず、交換レンズ５０がマウント部５に取り付けられる前における各部の初期状態について説明する（図１０乃至図１４参照）。
【００９７】
初期状態において、操作レバー１９は取付可能位置に位置されている（図１０参照）。このとき操作レバー１９は係合部材２１に形成された螺溝部２６ａがマウント部５に形成された螺合部１８ａに螺合されているが、前後の移動範囲における最も前側に位置されており、係合部材２１のリング状部２６がマウント部５のベース部１５に最も接近して位置されている（図１１参照）。
【００９８】
操作レバー１９が取付可能位置に位置された初期状態において、ロックレバー３２は摺動部３５が付勢バネ３７の付勢力によって操作部材２０の被規制部２５に形成されたレバー保持部２５ａに押し付けられ、初期位置に保持されている（図１０参照）。作用レバー３８は第１の作用突部４１ａがバネ部材４２の付勢力によって被規制部２５のレバー保持部２５ａに押し付けられて回動が規制され、第２の作用突部４１ｂがロックレバー３２の被作用部３６から離隔して位置されている。
【００９９】
初期状態において、操作部材２０と係合部材２１を連結する連結板２８に取り付けられたスイッチ操作部３０は操作スイッチ１４を操作した状態にされ、操作スイッチ１４がオンの状態にされている（図１２参照）。従って、初期状態においては交換レンズ５０と撮像装置１の間でのデータ通信が不能な通信不能モードが設定されている。
【０１００】
上記した初期状態において、交換レンズ５０は結合用リング５６の結合部５９、５９、５９がそれぞれ係合部材２１の係合部２７、２７、２７間に前方から挿入される（図１３及び図１４参照）。このとき結合用リング５６はベースリング部５７がマウント部５のベース部１５に対向して位置され、位置合わせ穴５７ａに位置合わせピン１７が挿入される。尚、交換レンズ５０のマウント部５に対する取付に際して位置合わせ穴５７ａと位置合わせピン１７の位置を合わせるために、交換レンズ５０と撮像装置１に目印が付されていることが望ましい。
【０１０１】
位置合わせ穴５７ａに位置合わせピン１７が挿入されることにより、結合用リング５６のマウント部５に対する位置合わせが行われる。結合用リング５６のマウント部５に対する位置合わせが行われることにより、交換レンズ５０の端子６１ａ、６１ａ、・・・がそれぞれ撮像装置１の接点１０ａ、１０ａ、・・・に対向して位置され両者が接続可能な状態にされる。
【０１０２】
次に、操作レバー１９が一方向へ回転操作される。操作レバー１９の回転操作は、例えば、使用者が操作部材２０における一方の指掛け突部２４に指を宛がって行われる。
【０１０３】
操作レバー１９が一方向へ回転されると、ロックレバー３２は摺動部３５が被規制部２５のレバー保持部２５ａに摺動される（図１５参照）。作用レバー３８は第１の作用突部４１ａが被規制部２５のレバー保持部２５ａと被ストッパー部２５ｂの境界部分に接した状態にされ、バネ部材４２の付勢力によって回動され、第２の作用突部４１ｂが被作用部３６の第１の被作用縁３６ａに押し付けられる。従って、ロックレバー３２には付勢バネ３７の付勢力に加えバネ部材４２によって初期位置から回転規制位置へ向かう方向への付勢力が付与される。
【０１０４】
このとき操作レバー１９の回転によって係合部２７、２７、２７の各一部がそれぞれ結合用リング５６の結合部５９、５９、５９の後側に位置され、係合部２７、２７、２７の各一部と結合部５９、５９、５９の各一部とがそれぞれ前後方向において重なった状態にされる（図１６参照）。このときスイッチ操作部３０は依然として操作スイッチ１４を操作した状態にされ、操作スイッチ１４がオンの状態にされている。
【０１０５】
操作レバー１９は回転されることにより螺溝部２６ａの螺合部１８ａに対する螺合位置が変化されて後方へ移動されていき、係合部材２１のリング状部２６がマウント部５のベース部１５から後方に離隔されていく。従って、結合用リング５６の結合部５９、５９、５９がそれぞれ係合部材２１の係合部２７、２７、２７によって後方へ押圧されていく。
【０１０６】
さらに操作レバー１９が一方向へ回転操作されると、ロックレバー３２は摺動部３５が被規制部２５のレバー保持部２５ａにさらに摺動され、摺動部３５がレバー保持部２５ａにおける被ストッパー部２５ｂ側の端部に接した状態にされる（図１７参照）。作用レバー３８は第１の作用突部４１ａが被規制部２５から離隔され、第１の作用突部４１ａが操作部材２０に近付く方向へ僅かに回動されるが、第２の作用突部４１ｂが被作用部３６の第１の被作用縁３６ａに押し付けられた状態が維持される。従って、ロックレバー３２には付勢バネ３７の付勢力に加え依然としてバネ部材４２によって初期位置から回転規制位置へ向かう方向への付勢力が付与されている。
【０１０７】
このとき操作レバー１９の回転によって係合部２７、２７、２７と結合部５９、５９、５９の前後での重なる量が増加される（図１８参照）。このときスイッチ操作部３０が操作スイッチ１４から離隔され、操作スイッチ１４がオフの状態にされる。
【０１０８】
操作レバー１９は回転されることにより螺溝部２６ａの螺合部１８ａに対する螺合位置が変化されてさらに後方へ移動され、係合部材２１のリング状部２６がマウント部５のベース部１５からさらに後方に離隔され、結合用リング５６の結合部５９、５９、５９がそれぞれ係合部材２１の係合部２７、２７、２７によってさらに後方へ押圧されていく。
【０１０９】
このとき結合部５９、５９、５９が係合部２７、２７、２７によって後方へ押圧されていくことにより、交換レンズ５０の端子部６１が撮像装置１の接点部１０に押し付けられ端子６１ａ、６１ａ、・・・がそれぞれ接点１０ａ、１０ａ、・・・に接続されている。また、上記したように、操作スイッチ１４がオフの状態にされており、交換レンズ５０と撮像装置１の間でのデータ通信が可能な通信可能モードが設定される。
【０１１０】
撮像装置１においては、端子６１ａ、６１ａ、・・・のうち一方の端部に位置された端子６１ａが接点１０ａ、１０ａ、・・・のうち一方の端部に位置された接点１０ａに接続されると共に操作スイッチ１４がオフの状態にされることにより、通信可能モードが設定されるように構成されている。
【０１１１】
上記のように、撮像装置１にあっては、操作レバー１９の回転に伴う操作スイッチ１４に対するスイッチ操作部３０の操作状態に応じて通信可能モードと通信不能モードの切換が行われる。
【０１１２】
従って、操作レバー１９の回転による交換レンズ５０のマウント部５に対する着脱状態に応じて通信可能モードと通信不能モードの切換が行われるため、操作レバー１９の回転操作の他にモードの切換を行うための操作が不要であり、撮像装置１の使い勝手の向上を図ることができる。
【０１１３】
また、端子６１ａが接点１０ａに接続された状態において操作スイッチ１４が所定の検出状態（オフ状態）にされることにより通信可能モードが設定される。
【０１１４】
従って、端子６１ａが接点１０ａに接続されると共に操作レバー１９の回転操作によって操作スイッチ１４がオフの状態にされることにより通信可能モードが設定される。これにより、交換レンズ５０がマウント部５に適正な状態で取り付けられて端子６１ａが接点１０ａに接続されたときにのみ通信可能モードが設定されるため、交換レンズ５０がマウント部５に適正な状態で取り付けられた状態においてのみ交換レンズ５０と撮像装置１の間でのデータ通信が行われ、交換レンズ５０との通信に関する誤作動を防止することができる。
【０１１５】
引き続き操作レバー１９が一方向へ回転操作されると操作レバー１９がロック位置に至り、ロックレバー３２は摺動部３５が被規制部２５から離隔される（図１９参照）。ロックレバー３２が被規制部２５から離隔されると、ロックレバー３２は付勢バネ３７の付勢力と作用レバー３８を介してのバネ部材４２の付勢力とによって回転規制位置まで移動される。
【０１１６】
このように撮像装置１にあっては、作用レバー３８を一方の回動方向へ付勢するバネ部材４２が設けられ、付勢バネ３７とバネ部材４２の付勢力によってロックレバー３２が回転規制位置へ向けて移動される。
【０１１７】
従って、ロックレバー３２の回転規制位置へ向けての移動時に付勢バネ３７の付勢力に加えて作用レバー３８を付勢するバネ部材４２の付勢力もロックレバー３２に付与されるため、バネ部材４２の機能性の向上を図った上でロックレバー３２を確実に回転規制位置まで移動させることができる。
【０１１８】
ロックレバー３２が回転規制位置に移動された状態においては、ロックレバー３２の摺動部３５が被規制部２５の被ストッパー部２５ｂと操作部材２０の周方向において対向して位置されるため、操作レバー１９の一方向と反対方向への回転が規制される。従って、操作レバー１９はロックレバー３２によってロックされる。
【０１１９】
上記のように交換レンズ５０がマウント部５にロックされた状態において、ロックレバー３２は少なくとも一部がマウント部５にロックされた交換レンズ５０によって前方から覆われる。
【０１２０】
従って、交換レンズ５０がマウント部５にロックされた状態においてロックレバー３２の少なくとも一部が交換レンズ５０によって覆われるため、撮影動作等の撮像装置１の使用時にロックレバー３２に手が接触し難く、誤って交換レンズ５０のロックが解除され難く、撮像装置１の使用時における交換レンズ５０のマウント部５からの脱落を防止することができる。
【０１２１】
また、上記のように交換レンズ５０がマウント部５にロックされた状態において、作用レバー３８は少なくとも一部がマウント部５にロックされた交換レンズ５０によって前方から覆われる。
【０１２２】
従って、交換レンズ５０がマウント部５にロックされた状態において作用レバー３８の少なくとも一部が交換レンズ５０によって覆われるため、撮影動作等の撮像装置１の使用時に作用レバー３８に手が接触し難く、誤って交換レンズ５０のロックが解除され難く、撮像装置１の使用時における交換レンズ５０のマウント部５からの脱落を防止することができる。
【０１２３】
このとき操作レバー１９の回転によってさらに係合部２７、２７、２７と結合部５９、５９、５９の前後での重なる量が増加される。
【０１２４】
操作レバー１９は回転されることにより螺溝部２６ａの螺合部１８ａに対する螺合位置が変化されてさらに後方へ移動され、係合部材２１のリング状部２６がマウント部５のベース部１５からさらに後方に離隔され、結合用リング５６の結合部５９、５９、５９がそれぞれ係合部材２１の係合部２７、２７、２７によってさらに後方へ押圧されていく。
【０１２５】
続いて操作レバー１９が一方向へ回転操作されると操作レバー１９が固定位置に至り、ロックレバー３２は摺動部３５が被規制部２５から相対的に離隔されていく（図２０参照）。作用レバー３８は第２の作用突部４１ｂが被作用部３６の第１の被作用縁３６ａに押し付けられた状態が維持される。
【０１２６】
このとき操作レバー１９の回転によって係合部２７、２７、２７と結合部５９、５９、５９の前後での重なる量がさらに増加される（図２１参照）。
【０１２７】
操作レバー１９は回転されることにより螺溝部２６ａの螺合部１８ａに対する螺合位置が変化されてさらに後方へ移動され、係合部材２１のリング状部２６がマウント部５のベース部１５からさらに後方に離隔され、結合用リング５６の結合部５９、５９、５９がそれぞれ係合部材２１の係合部２７、２７、２７によってさらに後方へ押圧される（図２２参照）。従って、結合用リング５６が後方へ移動されることによりベースリング部５７がマウント部５のベース部１５に前方から押し付けられて密着され、交換レンズ５０がマウント部５に固定される。
【０１２８】
上記のように、交換レンズ５０は、操作レバー１９における螺溝部２６ａのマウント部５における螺合部１８ａに対する螺合状態に応じて係合部２７、２７、２７が結合部５９、５９、５９に押し付けられることによりマウント部５に固定される。
【０１２９】
従って、交換レンズ５０がマウント部５に固定された状態において係合部２７、２７、２７が結合部５９、５９、５９に押し付けられると共に交換レンズ５０がマウント部５に押し付けられるため、交換レンズ５０のマウント部５に対する固定状態において交換レンズ５０の撮像装置１に対するガタ付きを防止することができ、良好な撮影状態を確保することができる。
【０１３０】
次に、上記のようにマウント部５に固定された交換レンズ５０がマウント部５から取り外されるときの動作について説明する（図２３乃至図２６参照）。交換レンズ５０のマウント部５からの取外は操作レバー１９が上記した一方向とは逆方向である他方向へ回転操作されることより行われる。
【０１３１】
尚、交換レンズ５０がマウント部５から取り外されるときの動作については、スイッチ操作部３０の操作スイッチ１４に対する操作に関する動作と結合部５９、５９、５９の係合部２７、２７、２７に対する係合に関する動作と螺溝部２６ａの螺合部１８ａに対する螺合位置の変化に関する動作とは、交換レンズ５０がマウント部５に取り付けられるときの上記した動作と反対の動作である。
【０１３２】
従って、以下には、交換レンズ５０がマウント部５から取り外されるときのロックレバー３２と作用レバー３８の動作についてのみ説明し、スイッチ操作部３０の操作スイッチ１４に対する操作に関する動作と結合部５９、５９、５９の係合部２７、２７、２７に対する係合に関する動作と螺溝部２６ａの螺合部１８ａに対する螺合位置の変化に関する動作については説明を省略する。
【０１３３】
操作レバー１９が固定位置から他方向へ回転操作されると操作レバー１９がロック位置に至り、被規制部２５の被ストッパー部２５ｂが回転規制位置に位置されているロックレバー３２の摺動部３５に接して操作レバー１９の他方向への回転が規制される（図２３参照）。このとき使用者によってロックレバー３２の摘子部３４が操作され、ロックレバー３２が回転許容位置まで移動される（図２４参照）。
【０１３４】
ロックレバー３２が回転許容位置へ向けて移動されるときには、ロックレバー３２の被作用部３６が作用レバー３８の第２の作用突部４１ｂに摺動され、被作用部３６の第２の被作用縁３６ｂが第２の作用突部４１ｂに接触される。このとき作用レバー３８にはバネ部材４２の付勢力が付与されているため、ロックレバー３２が回転許容位置に移動された状態において、第２の作用突部４１ｂが第２の被作用縁３６ｂに押し付けられる。従って、ロックレバー３２はバネ部材４２の付勢力が付与された作用レバー３８によって回転許容位置に保持され、摘子部３４から指を離してもロックレバー３２が回転規制位置へ向けて移動されない状態にされる。
【０１３５】
尚、使用者によるロックレバー３２の回転規制位置から回転許容位置への移動操作は、操作レバー１９が固定位置からロック位置まで回転されるまでの何れの位置において行われてもよい。従って、交換レンズ５０をマウント部５から取り外そうとするときに、ロックレバー３２の回転規制位置から回転許容位置への移動操作が、例えば、操作レバー１９を他方向へ回転する前の操作レバー１９が固定位置に位置されている状態において行われてもよい。
【０１３６】
ロックレバー３２が回転許容位置まで移動されると、摺動部３５が操作部材２０から外側に離隔されるため、操作レバー１９のロックレバー３２によるロックが解除され操作レバー１９が他方向へさらに回転可能な状態にされる。
【０１３７】
引き続き操作レバー１９が他方向へ回転操作されると、被規制部２５がロックレバー３２の内側を通過され、作用レバー３８の第２の作用突部４１ｂが被規制部２５によってバネ部材４２の付勢力に反して押圧され、作用レバー３８がバネ部材４２の付勢力に反して回動される（図２５参照）。
【０１３８】
さらに操作レバー１９が他方向へ回転操作されると操作レバー１９が取付可能位置に至り、バネ部材４２の付勢力に反して回動される作用レバー３８の第１の作用突部４１ａが被規制部２５の被ストッパー部２５ｂからレバー保持部２５ａに乗り上げる（図２６参照）。このとき作用レバー３８の第２の作用突部４１ｂがロックレバー３２の被作用部３６から離隔されるため、ロックレバー３２が付勢バネ３７の付勢力によって回転許容位置から回転規制位置へ向けて移動され、摺動部３５が被規制部２５のレバー保持部２５ａに押し付けられ、ロックレバー３２が初期位置に保持される。作用レバー３８は第１の作用突部４１ａがバネ部材４２の付勢力によって被規制部２５のレバー保持部２５ａに押し付けられて回動が規制される。従って、ロックレバー３２と作用レバー３８が何れも初期状態に戻る。
【０１３９】
操作レバー１９は取付可能位置に位置されて初期状態にされているため、交換レンズ５０の結合部５９、５９、５９がそれぞれ係合部材２１の係合部２７、２７、２７間に位置されている。従って、結合部５９、５９、５９をマウント部５から前方へ引き出すことにより、交換レンズ５０をマウント部５から取り外すことができる。
【０１４０】
上記したように、撮像装置１においては、ロックレバー３２が操作レバー１９の回転を許容する回転許容位置と操作レバー１９の回転を規制する回転規制位置との間で移動可能とされ、操作レバー１９にはロック位置において回転規制位置に移動されたロックレバー３２が接触可能な被規制部２５が設けられている。
【０１４１】
従って、回転規制位置に移動されたロックレバー３２によって交換レンズ５０がマウント部５にロックされるため、簡素な構成により交換レンズ５０をマウント部５にロックすることができる。
【０１４２】
また、ロックレバー３２を回転許容位置から回転規制位置へ移動させる方向へ付勢する付勢バネ３７と、筐体２に対して回動可能にされると共にロックレバー３２を回転許容位置において保持する作用レバー３８が設けられている。
【０１４３】
従って、ロックレバー３２が回転許容位置において作用レバー３８に保持されてロックレバー３２の回転規制位置への移動が規制されるため、操作レバー１９をロック位置から取付可能位置へ向けて回転するときにロックレバー３２を把持する必要がなく、一方の手で撮像装置１を把持し他方の手で操作レバー１９を操作すればよく、ロックレバー３２の回転操作を容易かつ確実に行うことができる。
【０１４４】
さらに、バネ部材４２のばね定数が付勢バネ３７のばね定数より大きくされ、操作レバー１９の取付可能位置から固定位置へ向けての回転時にバネ部材４２の付勢力が作用レバー３８を介してロックレバー３２に対して回転許容位置から回転規制位置に移動される方向へ作用し、操作レバー１９の固定位置から取付可能位置へ向けての回転時にバネ部材４２の付勢力が作用レバー３８を介してロックレバー３２に対して回転規制位置から回転許容位置に移動される方向へ作用する。
【０１４５】
従って、操作レバー１９の反対方向への回転時にバネ部材４２の付勢力がロックレバー３２にそれぞれ反対方向へ作用するため、ロックレバー３２に反対方向への付勢力を作用させる各別のバネを用いる必要がなく、部品点数の削減及び構造の簡素化を図ることができる。
【０１４６】
さらにまた、取付可能位置において付勢バネ３７によって付勢されたロックレバー３２の回転規制位置へ向けての移動が被規制部２５によって規制される。
【０１４７】
従って、ロックレバー３２の回転規制位置への移動がロックレバー３２に接触されて交換レンズ５０の回転の規制に関与する被規制部２５によって行われるため、被規制部２５が取付可能位置におけるロックレバー３２の移動の規制と交換レンズ５０の回転の規制とにおいて兼用され、構造の簡素化を図ることができる。
【０１４８】
＜動作に関するタイムチャート＞
次に、上記した交換レンズ５０がマウント部５に取り付けられるときの動作に関するタイミングについて説明する（図２７参照）。
【０１４９】
図２７は、操作レバー１９の一方向への回転角度、交換レンズ５０の結合部５９と操作レバー１９の係合部２７との前後方向における重なり状態、操作スイッチ１４のオンオフ状態、ロックレバー３２による操作レバー１９のロック状態及び交換レンズ５０のマウント部５に対する固定状態に関するタイムチャート図である。
【０１５０】
状態Ａは初期状態を示している。状態Ａにおいては、操作レバー１９が取付可能位置に位置され回転角度が０度であり、結合部５９と係合部２７が重なっていない状態にされ、操作スイッチ１４がオン状態にされ、ロックレバー３２が初期位置にあり操作レバー１９がロックされていない状態にされ、交換レンズ５０がマウント部５に固定されていない状態にされている。
【０１５１】
状態Ｂは交換レンズ５０の結合部５９、５９、５９がそれぞれ係合部材２１の係合部２７、２７、２７間に挿入された状態において、操作レバー１９が一方向へ回転された直後の状態を示している。状態Ｂにおいては、操作レバー１９が取付可能位置から一定角度回転され、結合部５９と係合部２７の重なりが開始される状態にされ、操作スイッチ１４がオン状態にされ、ロックレバー３２が初期位置にあり操作レバー１９がロックされていない状態にされ、交換レンズ５０がマウント部５に固定されていない状態にされている。
【０１５２】
状態Ｃは状態Ｂに引き続き操作レバー１９が一方向へ回転された状態を示している。状態Ｃにおいては、操作レバー１９が取付可能位置とロック位置の間の位置まで回転され、結合部５９と係合部２７の重なりが状態Ｂより増加した状態にされ、操作スイッチ１４がオフ状態にされ、ロックレバー３２が初期位置にあり操作レバー１９がロックされていない状態にされ、交換レンズ５０がマウント部５に固定されていない状態にされている。
【０１５３】
状態Ｄは状態Ｃに引き続き操作レバー１９が一方向へ回転された状態を示している。状態Ｄにおいては、操作レバー１９が取付可能位置からロック位置まで回転され、結合部５９と係合部２７の重なりが状態Ｃより増加した状態にされ、操作スイッチ１４がオフ状態にされ、ロックレバー３２がロック位置にあり操作レバー１９がロックされた状態にされ、交換レンズ５０がマウント部５に固定されていない状態にされている。
【０１５４】
状態Ｅは状態Ｄに引き続き操作レバー１９が一方向へ回転された状態を示している。状態Ｅにおいては、操作レバー１９が取付可能位置から固定位置まで回転され、結合部５９と係合部２７の重なりが状態Ｄより増加した状態にされ、操作スイッチ１４がオフ状態にされ、ロックレバー３２がロック位置にあり操作レバー１９がロックされた状態にされ、交換レンズ５０がマウント部５に固定された状態にされている。
【０１５５】
上記のように、撮像装置１においては、操作レバー１９の一方向への回転によって、操作スイッチ１４がオフ状態（状態Ｃ）にされた後にロックレバー３２によって操作レバー１９がロックされた状態（状態Ｄ）になり、操作レバー１９がロックされた後に交換レンズ５０がマウント部５に固定された状態（状態Ｅ）にされる。
【０１５６】
このように、撮像装置１にあっては、操作レバー１９が取付可能位置からロック位置まで回転される途中で操作スイッチ１４が所定の検出状態（オフ状態）にされることにより通信可能モードが設定される。
【０１５７】
従って、操作レバー１９が取付可能位置からロック位置まで回転される途中において通信可能モードが設定されるため、交換レンズ５０がマウント部５にロックされている状態において常に交換レンズ５０との通信が可能とされ、交換レンズ５０がマウント部５に取り付けられている状態における使い勝手の向上を図ることができる。
【０１５８】
また、撮像装置１においては、操作レバー１９がロックされた状態Ｄから交換レンズ５０が固定された状態Ｅまでの操作レバー１９の回転角度θは１５度以上２５度以下にされている。
【０１５９】
従って、操作レバー１９がロック位置から１５度以上２５度以下で回転操作されることにより交換レンズ５０がマウント部５に固定されるため、手を持ち替えることなくロック位置から固定位置まで無理なく操作レバー１９を操作して交換レンズ５０を固定することが可能であり、操作レバー１９に関する高い操作性を確保することができる。
【０１６０】
尚、撮像装置１にあっては、交換レンズ５０がマウント部５から取り外された状態において、交換レンズ５０がマウント部５に固定された状態（状態Ｅ）の回転位置から操作レバー１９がさらに一方向へ状態Ｆの回転位置まで回転可能にされている。また、操作レバー１９は状態Ａの回転位置と状態Ｆの回転位置において何れも図示しないストッパーによってそれぞれ他方向と一方向への回転が規制される。
【０１６１】
また、上記には、ロックレバー３２が回転許容位置から回転規制位置まで操作レバー１９の回転に回転許容位置と回転規制位置の間で手動による操作によって移動されてもよい。
【０１６２】
＜撮像装置の一実施形態＞
以下に、本技術撮像装置の一実施形態によるビデオカメラのブロック図を示す（図２８参照）。
【０１６３】
撮像装置（ビデオカメラ）１は、取り込まれた光を電気信号に変換する光電変換機能を有する撮像素子８０と、撮影された画像信号のアナログ−デジタル変換等の信号処理を行うカメラ信号処理部８１と、画像信号の記録再生処理を行う画像処理部８２とを有している。また、撮像装置１は、撮影された画像等を表示する表示部８３（ディスプレイ１２）と、メモリー９０への画像信号の書込及び読出を行うＲ／Ｗ（リーダ／ライタ）８４と、撮像装置１の全体を制御するＣＰＵ（Central Processing Unit）８５と、ユーザーによって所要の操作が行われる各種のスイッチ等の入力部８６（操作部６）と、交換レンズ５０に設けられたレンズの駆動を制御するレンズ駆動制御部８７とを備えている。
【０１６４】
カメラ信号処理部８１は、撮像素子８０からの出力信号に対するデジタル信号への変換、ノイズ除去、画質補正、輝度・色差信号への変換等の各種の信号処理を行う。
【０１６５】
画像処理部８２は、所定の画像データフォーマットに基づく画像信号の圧縮符号化・伸張復号化処理や解像度等のデータ仕様の変換処理等を行う。
【０１６６】
表示部８３はユーザーの入力部８６に対する操作状態や撮影した画像等の各種のデータを表示する機能を有している。
【０１６７】
Ｒ／Ｗ８４は、画像処理部８２によって符号化された画像データのメモリー９０への書込及びメモリー９０に記録された画像データの読出を行う。
【０１６８】
ＣＰＵ８５は、撮像装置１に設けられた各回路ブロックを制御する制御処理部として機能し、入力部８６からの指示入力信号等に基づいて各回路ブロックを制御する。
【０１６９】
入力部８６はユーザーによる操作に応じた指示入力信号をＣＰＵ８５に対して出力する。
【０１７０】
レンズ駆動制御部８７は、ＣＰＵ８５からの制御信号に基づいてレンズ群５５、５５、・・・を駆動する図示しないモータ等を制御する。
【０１７１】
メモリー９０は、例えば、Ｒ／Ｗ８４に接続されたスロットに対して着脱可能な半導体メモリーである。
【０１７２】
以下に、撮像装置１における動作を説明する。
【０１７３】
撮影の待機状態では、ＣＰＵ８５による制御の下で、撮影された画像信号がカメラ信号処理部８１を介して表示部８３に出力され、カメラスルー画像として表示される。また、入力部８６からのズーミングのための指示入力信号が入力されると、ＣＰＵ８５がレンズ駆動制御部８７に制御信号を出力し、レンズ駆動制御部８７の制御に基づいて所定のレンズ群５５が移動される。
【０１７４】
入力部８６からの指示入力信号により撮影が行われると、撮影された画像信号がカメラ信号処理部８１から画像処理部８２に出力されて圧縮符号化処理され、所定のデータフォーマットのデジタルデータに変換される。変換されたデータはＲ／Ｗ８４に出力され、メモリー９０に書き込まれる。
【０１７５】
フォーカシングはＣＰＵ８５からの制御信号に基づいてレンズ駆動制御部８７が所定のレンズ群５５を移動させることにより行われる。
【０１７６】
メモリー９０に記録された画像データを再生する場合には、入力部８６に対する操作に応じてＲ／Ｗ８４によってメモリー９０から所定の画像データが読み出され、画像処理部８２によって伸張復号化処理が行われた後に、再生画像信号が表示部８３に出力されて再生画像が表示される。
【０１７７】
＜まとめ＞
以上に記載した通り、撮像装置１にあっては、操作レバー１９の回転位置は、一方向の回転により順に交換レンズ５０のマウント部５に対する取付が可能な取付可能位置と交換レンズ５０がロックレバー３２によってマウント部５から脱落不能な状態で保持されるロック位置と交換レンズ５０がマウント部５に密着された状態で保持され操作レバー１９の回転端である固定位置とを含む。
【０１７８】
従って、操作レバー１９の取付可能位置からの一方向への回転により交換レンズ５０のマウント部５に対するロックに引き続き交換レンズ５０のマウント部５への固定が行われるため、交換レンズ５０がマウント部５にロックされた状態における交換レンズ５０のマウント部５に対するガタツキを防止して画質の向上を図ることができる。
【０１７９】
また、操作レバー１９には連結された操作部材２０と係合部材２１が設けられ、係合部材２１に螺溝部２６ａと係合部２７、２７、２７が形成されている。
【０１８０】
従って、螺溝部２６ａと係合部２７、２７、２７が一つの部材に形成されているため、螺溝部２６ａと係合部２７、２７、２７の位置関係が変化することがなく、螺溝部２６ａが螺合部１８ａに対して常に一定の螺合状態にされたときに交換レンズ５０がマウント部５に固定され、交換レンズ５０のマウント部５に対する安定した固定状態を確保することができる。
【０１８１】
さらに、操作部材２０と係合部材２１を連結する連結板２８が設けられ、連結板２８にスイッチ操作部３０が取り付けられている。
【０１８２】
従って、連結板２８が操作部材２０と係合部材２１を連結する機能を有すると共にスイッチ操作部３０を取り付ける取付板としても機能し、操作部材２０と係合部材２１を連結する部材とスイッチ操作部３０を取り付ける部材とを各別に設ける必要がなく、部品点数の削減を図った上で機能性の向上を図ることができる。
【０１８３】
さらにまた、アクセサリーとして交換レンズ５０が用いられることにより、操作レバー１９の取付可能位置からの一方向への回転により交換レンズ５０のマウント部５に対するロックに引き続き交換レンズ５０のマウント部５への固定が行われる。
【０１８４】
従って、交換レンズ５０がマウント部５にロックされた状態における交換レンズ５０のマウント部５に対するガタツキを防止して画質の向上を図ることができる。
【０１８５】
＜本技術＞
本技術は、以下のような構成にすることができる。
【０１８６】
（１）
アクセサリーが取付可能なマウント部を有する筐体と、
前記筐体に回転可能に支持された回転操作部と、
前記アクセサリーを前記マウント部から脱落不能な状態で保持するロック部とを備え、
前記回転操作部の回転位置は、一方向の回転により順に前記アクセサリーの前記マウント部に対する取付が可能な取付可能位置と前記アクセサリーが前記ロック部によって前記マウント部から脱落不能な状態で保持されるロック位置と前記アクセサリーが前記マウント部に密着された状態で保持され前記回転操作部の回転端である固定位置とを含む
撮像装置。
【０１８７】
（２）
前記マウント部は螺合部を有し、
前記回転操作部は前記筐体に対する回転角度に応じて前記螺合部に対する螺合状態が変化される螺溝部と前記アクセサリーに設けられた結合部が係合される係合部とを有し、
前記螺溝部の前記螺合部に対する螺合状態に応じて前記係合部が前記結合部に押し付けられることにより前記アクセサリーが前記マウント部に固定される
前記（１）に記載の撮像装置。
【０１８８】
（３）
前記回転操作部には連結された操作部材と係合部材が設けられ、
前記係合部材に前記螺溝部と前記係合部が形成された
前記（２）に記載の撮像装置。
【０１８９】
（４）
前記操作部材と前記係合部材を連結する連結板が設けられ、
前記連結板にスイッチ操作部が取り付けられた
前記（３）に記載の撮像装置。
【０１９０】
（５）
前記アクセサリーとの間でのデータ通信が可能な通信可能モードとデータ通信が不能な通信不能モードとの切換を行う操作スイッチが設けられ、
前記回転操作部の回転に伴って前記操作スイッチが操作される
前記（１）から前記（４）の何れかに記載の撮像装置。
【０１９１】
（６）
前記回転操作部が前記取付可能位置から前記ロック位置まで回転される途中において前記操作スイッチが所定の検出状態にされることにより前記通信可能モードが設定される
前記（５）に記載の撮像装置。
【０１９２】
（７）
前記アクセサリーの端子が接続されたときに前記アクセサリーとの間でのデータ通信が可能な状態に設定されたことを検出する接点が設けられ、
前記端子が前記接点に接続された状態において前記操作スイッチが所定の検出状態にされることにより前記通信可能モードが設定される
前記（５）又は前記（６）に記載の撮像装置。
【０１９３】
（８）
前記回転操作部の前記ロック位置から前記固定位置までの回転角度が１５度以上２５度以下にされた
前記（１）から前記（７）の何れかに記載の撮像装置。
【０１９４】
（９）
前記ロック部は少なくとも一部が前記マウント部にロックされた前記アクセサリーによって覆われる位置に設けられた
前記（１）から前記（８）の何れかに記載の撮像装置。
【０１９５】
（１０）
前記ロック部が前記回転操作部の回転を許容する回転許容位置と前記回転操作部の回転を規制する回転規制位置との間で移動可能とされ、
前記回転操作部には前記ロック位置において前記回転規制位置に移動された前記ロック部が接触可能な被規制部が設けられた
前記（１）から前記（９）の何れかに記載の撮像装置。
【０１９６】
（１１）
前記ロック部を前記回転許容位置から前記回転規制位置へ移動させる方向へ付勢する付勢バネと、
前記筐体に対して回動可能にされると共に前記ロック部を前記回転許容位置において保持する作用レバーとが設けられた
前記（１０）に記載の撮像装置。
【０１９７】
（１２）
前記作用レバーを一方の回動方向へ付勢するバネ部材が設けられ、
前記付勢バネと前記バネ部材の付勢力によって前記ロック部が前記回転規制位置へ向けて移動される
前記（１１）に記載の撮像装置。
【０１９８】
（１３）
前記バネ部材のばね定数が前記付勢バネのばね定数より大きくされ、
前記回転操作部の前記取付可能位置から前記固定位置へ向けての回転時に前記バネ部材の付勢力が前記作用レバーを介して前記ロック部に対して前記回転許容位置から前記回転規制位置に移動される方向へ作用し、
前記回転操作部の前記固定位置から前記取付可能位置へ向けての回転時に前記バネ部材の付勢力が前記作用レバーを介して前記ロック部に対して前記回転規制位置から前記回転許容位置に移動される方向へ作用する
前記（１２）に記載の撮像装置。
【０１９９】
（１４）
前記取付可能位置において前記付勢バネによって付勢された前記ロック部の前記回転規制位置へ向けての移動が前記被規制部によって規制される
前記（１１）から前記（１３）の何れかに記載の撮像装置。
【０２００】
（１５）
前記作用レバーは少なくとも一部が前記マウント部にロックされた前記アクセサリーによって覆われる位置に設けられた
前記（１１）から前記（１４）に記載の撮像装置。
【０２０１】
（１６）
前記ロック部には摘子部が設けられ、
前記摘子部が挿通される挿通孔を有し前記ロック部の前記摘子部以外の部分と前記作用レバーを覆うカバーが設けられた
前記（１１）から前記（１５）の何れかに記載の撮像装置。
【０２０２】
（１７）
前記アクセサリーが交換レンズである
前記（１）から前記（１６）の何れかに記載の撮像装置。
【符号の説明】
【０２０３】
１…撮像装置、２…筐体、５…マウント部、１０ａ…接点、１４…操作スイッチ、１８ａ…螺合部、１９…操作レバー（回転操作部）、２０…操作部材、２１…係合部材、２５…被規制部、２６ａ…螺溝部、２７…係合部、２８…連結板、３０…スイッチ操作部、３２…ロックレバー（ロック部）、３４…摘子部、３７…付勢バネ、３８…作用レバー、４２…バネ部材、４３…カバー、４３ａ…挿通孔、５０…交換レンズ（アクセサリー）、５９…結合部、６１ａ…端子
【図１】
2018083921.tif 000003
【図２】
2018083921.tif 000004
【図３】
2018083921.tif 000005
【図４】
2018083921.tif 000006
【図５】
2018083921.tif 000007
【図６】
2018083921.tif 000008
【図７】
2018083921.tif 000009
【図８】
2018083921.tif 000010
【図９】
2018083921.tif 000011
【図１０】
2018083921.tif 000012
【図１１】
2018083921.tif 000013
【図１２】
2018083921.tif 000014
【図１３】
2018083921.tif 000015
【図１４】
2018083921.tif 000016
【図１５】
2018083921.tif 000017
【図１６】
2018083921.tif 000018
【図１７】
2018083921.tif 000019
【図１８】
2018083921.tif 000020
【図１９】
2018083921.tif 000021
【図２０】
2018083921.tif 000022
【図２１】
2018083921.tif 000023
【図２２】
2018083921.tif 000024
【図２３】
2018083921.tif 000025
【図２４】
2018083921.tif 000026
【図２５】
2018083921.tif 000027
【図２６】
2018083921.tif 000028
【図２７】
2018083921.tif 000029
【図２８】
2018083921.tif 000030
【国際調査報告】
2018083921.tif 000031
2018083921.tif 000032
2018083921.tif 000033
2018083921.tif 000034